(57)【要約】【課題】無用なシグナリング伝送を回避し、システム効率を向上させるために、無線通信システムにおいてダウンリンク共用チャネルの伝送を改善する方法及び装置を提供する。【解決手段】方法は、ＭＡＣ（媒体アクセス制御）プロトコルエンティティーを通してＢＣＣＨ（ブロードキャスト制御チャネル）をダウンリンク共用チャネルにマッピングし、ダウンリンク共用チャネルを通してシステム情報ブロードキャストメッセージを送信する段階と、前記システム情報ブロードキャストメッセージに基づいてＭＡＣ  ＰＤＵ（プロトコルデータユニット）を形成する段階を含む。前記ＭＡＣ  ＰＤＵは何のヘッダフィールドも含まない。【選択図】図５
2008301493.tif 000002
【特許請求の範囲】
【請求項１】
無線通信システムにおいてダウンリンク共用チャネルの伝送を改善する方法であって、
ＭＡＣ（媒体アクセス制御）プロトコルエンティティーを通してＢＣＣＨ（ブロードキャスト制御チャネル）をダウンリンク共用チャネルにマッピングし、ダウンリンク共用チャネルを通してシステム情報ブロードキャストメッセージを送信する段階と、
前記システム情報ブロードキャストメッセージに基づいてＭＡＣ  ＰＤＵ（プロトコルデータユニット）を形成する段階を含み、
前記ＭＡＣ  ＰＤＵは何のヘッダフィールドも含まない、ダウンリンク共用チャネルの伝送を改善する方法。
【請求項２】
前記システム情報ブロードキャストメッセージは特定のＨ−ＲＮＴＩを利用し、前記ダウンリンク共用チャネルを通して伝送を行う、請求項１に記載のダウンリンク共用チャネルの伝送を改善する方法。
【請求項３】
前記ＭＡＣ  ＰＤＵはシステム情報ブロードキャストメッセージに対応するＳＤＵ（サービスデータユニット）のみ含む、請求項１に記載のダウンリンク共用チャネルの伝送を改善する方法。
【請求項４】
前記ＭＡＣ  ＰＤＵは前記ＭＡＣプロトコルエンティティーにより添付されたパディングビットを含まない、請求項１に記載のダウンリンク共用チャネルの伝送を改善する方法。
【請求項５】
前記方法は更に、
上位層プロトコルエンティティーを通して前記システム情報ブロードキャストメッセージをパディングし、トランスポートブロックサイズに合致させる段階を含む、請求項１に記載のダウンリンク共用チャネルの伝送を改善する方法。
【請求項６】
前記上位層プロトコルエンティティーはＲＲＣ（無線資源制御）プロトコルエンティティーである、請求項５に記載のダウンリンク共用チャネルの伝送を改善する方法。
【請求項７】
無線通信システムにおいてダウンリンク共用チャネルの伝送を改善するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
ＭＡＣプロトコルエンティティーを通してＢＣＣＨをダウンリンク共用チャネルにマッピングし、ダウンリンク共用チャネルを通してシステム情報ブロードキャストメッセージを送信するコードと、
前記システム情報ブロードキャストメッセージに基づいてＭＡＣ  ＰＤＵを形成するコードを含み、
前記ＭＡＣ  ＰＤＵは何のヘッダフィールドも含まない、通信装置。
【請求項８】
前記システム情報ブロードキャストメッセージは特定のＨ−ＲＮＴＩを利用し、前記ダウンリンク共用チャネルを通して伝送を行う、請求項７に記載の通信装置。
【請求項９】
前記ＭＡＣ  ＰＤＵはシステム情報ブロードキャストメッセージに対応するＳＤＵのみ含む、請求項７に記載の通信装置。
【請求項１０】
前記ＭＡＣ  ＰＤＵは前記ＭＡＣプロトコルエンティティーにより添付されたパディングビットを含まない、請求項７に記載の通信装置。
【請求項１１】
前記プログラムコードは更に、
上位層プロトコルエンティティーを通して前記システム情報ブロードキャストメッセージをパディングし、トランスポートブロックサイズに合致させるコードを含む、請求項７に記載の通信装置。
【請求項１２】
前記上位層プロトコルエンティティーはＲＲＣプロトコルエンティティーである、請求項１１に記載の通信装置。
【発明の詳細な説明】
【技術分野】
【０００１】
本発明は無線通信システムにおいてダウンリンク共用チャネルの伝送を改善する方法及び装置に関し、特に無線通信システムにおいてＢＣＣＨ（ブロードキャスト制御チャネル）をダウンリンク共用チャネルにマッピングして生成した送信パケットのヘッダを改善する方法及び装置に関する。
【背景技術】
【０００２】
第三世代移動通信技術はＷＣＤＭＡ（広帯域多元分割接続）方式で高スペクトル利用効率、高カバー率、優れた通話品質と高速のマルチメディアデータ送信を実現する。第三世代移動通信システムを通して、ユーザーは無線通信装置（例えば携帯電話）でテレビ電話（映像通信）、電話会議、オンラインゲーム、オンラインミュージック、電子メールを楽しむことができる。もっとも、これらの機能は迅速かつ実時間の送信機能に頼る。帯域幅の利用効率とパケットデータの処理効率を向上させ、上り・下りの送信速度を改善するために、従来の第三世代移動通信技術ではＨＳＤＰＡ（高速ダウンリンクパケットアクセス）とＨＳＵＰＡ（高速アップリンクパケットアクセス）が導入されている。
【０００３】
ＨＳＤＰＡシステムに基づいて、３ＧＰＰ（第三世代パートナーシッププロジェクト）はＲＲＣ（無線資源制御）接続モードのＣＥＬＬ＿ＦＡＣＨ（セルフォワードアクセスチャネル）状態、ＣＥＬＬ＿ＰＣＨ（セルページングチャネル）状態、及びＵＲＡ＿ＰＣＨ（ＵＴＲＡＮ登録領域ページングチャネル）状態についてＨＳ−ＤＳＣＨ（高速ダウンリンク共用チャネル）受信機能（以下に高速ダウンリンク受信機能と略する）を導入した。同機能は、前掲状態にあるＵＥでＨＳ−ＤＳＣＨと、ＨＳ−ＳＣＣＨ（ＨＳ−ＤＳＣＨ共用制御チャネル）のシグナリングを合わせて利用してダウンリンクデータを受信することを可能にし、最大データ率、信号送信の遅延、状態変換の遅延、セルのサポート可能なＵＥの数量などを改善する。
【０００４】
高速ダウンリンク受信機能のもとで、ＭＡＣ（媒体アクセス制御）層はＭＡＣ−ｅｈｓ（エンハンスド高速ＭＡＣ）エンティティーで種類の異なる論理チャネルをＨＳ−ＤＳＣＨに多重化する。対応する論理チャネルとしては、専用型の専用型のＤＣＣＨ（専用制御チャネル）とＤＴＣＨ（専用トラヒックチャネル）、及び共用型のＰＣＣＨ（ページング制御チャネル）とＢＣＣＨ（ブロードキャスト制御チャネル）がある。ＭＡＣ−ｅｈｓエンティティーの動作については３ＧＰＰのＭＡＣプロトコルを参照すればよく、ここで説明を省略する。
【０００５】
図１を参照する。図１は従来のＭＡＣ−ｅｈｓ  ＰＤＵ（プロトコルデータユニット）を表す説明図である。ＭＡＣ−ｅｈｓ  ＰＤＵはＭＡＣ−ｅｈｓエンティティーの送信パケットであって、複数のリオーダーＰＤＵとそれに対応するＭＡＣ−ｅｈｓヘッダを含む。各リオーダーＰＤＵは、同じ優先待ち行列（リオーダー待ち行列とも称する）に対応する、連続した少なくとも１つのＭＡＣ−ｅｈｓ  ＳＤＵ（サービスデータユニット）、またはＭＡＣ−ｅｈｓ  ＳＤＵのセグメントを含む。ＭＡＣ−ｅｈｓ  ＳＤＵ（すなわち上位層ＰＤＵ）は、ＭＡＣ−ｃ（共通ＭＡＣ）  ＰＤＵまたはＭＡＣ−ｄ（専用ＭＡＣ）ＰＤＵである。ＭＡＣ−ｅｈｓ  ＰＤＵのヘッダに対して、従来のＭＡＣプロトコルでは、論理チャネル識別子ＬＣＨ−ＩＤ、長さＬ、伝送シーケンス番号ＴＳＮ、セグメント化指示子（ＳＩ、及びフラグＦなどのフィールドを規定している。ＬＣＨ−ＩＤフィールドは各ＭＡＣ−ｅｈｓ  ＳＤＵまたはそのセグメントに対応する論理チャネルを指示し、長さフィールドは各ＭＡＣ−ｅｈｓ  ＳＤＵまたはそのセグメントのデータ長を指示し、ＴＳＮフィールドは対応するリオーダー待ち行列でリオーダーを行うために各リオーダーＰＤＵのＴＳＮを指示し、ＳＩフィールドは各ＭＡＣ−ｅｈｓ  ＳＤＵのセグメント化有無とセグメント化の類型を指示し、フラグフィールドはヘッダの中で次のヘッダフィールドの有無を指示する。
【０００６】
しかし、ＢＣＣＨをＨＳ−ＤＳＣＨにマッピングするとき、従来の技術によるＭＡＣ−ｅｈｓ  ＰＤＵのヘッダは無用である。言い換えれば、ＵＥ（ユーザー端末）はＭＡＣ−ｅｈｓ  ＰＤＵのヘッダを利用しなくとも、ＨＳ−ＤＳＣＨを通してＢＣＣＨのパケットデータを受信することができる。ヘッダの各フィールドの分析について以下に説明する。
【０００７】
まず、高速ダウンリンク受信機能の実行時、ＢＣＣＨのＨＳ−ＤＳＣＨへのマッピングは、システム情報変更指示メッセージをＣＥＬＬ＿ＦＡＣＨ状態またはＣＥＬＬ＿ＰＣＨ状態で動作するＵＥに送信するために行われる。この場合、ＵＥはシステム情報で示されるＢＣＣＨ特定Ｈ−ＲＮＴＩを通してＨＳ−ＳＣＣＨをモニターすることで、ＨＳ−ＤＳＣＨを通してＢＣＣＨのパケットデータを受信する。ＵＥはＢＣＣＨ特定Ｈ−ＲＮＴＩを通して受信したＭＡＣパケットがＢＣＣＨに対応するかどうかを判断することができるので、ヘッダにはＬＣＨ−ＩＤフィールドが不要である。
【０００８】
また、従来のＲＲＣプロトコルでは、システム情報変更指示メッセージはＴＭ（トランスペアレントモード）で送信される。符号化されたシステム情報変更指示メッセージがトランスポートブロックサイズに合致しないとき、ＲＲＣ層でこのシステム情報変更指示メッセージをパディングしなければならない。この場合、ＨＳ−ＤＳＣＨで受信したトランスポートブロックはＭＡＣ  ＳＤＵのみで、ＭＡＣ層により添付されたパディングビットを含まないので、ヘッダには長さフィールドが不要である。
【０００９】
一方、３ＧＰＰの修正要求書Ｒ２−０７２３０５によれば、ＢＣＣＨをＨＳ−ＤＳＣＨにマッピングする無線ベアラ（ＲＢ）パラメータでは、従来の技術はＢＣＣＨの受信について何ら優先待ち行列を設けていないので、ＭＡＣ層はＢＣＣＨに対応するトランスポートブロックを受信すると、リオーダーを行わずに直接にＢＣＣＨを通してＲＲＣ層に転送する。そのため、ヘッダにはＴＳＮフィールドが不要である。
【００１０】
なお、３ＧＰＰの修正要求書Ｒ２−０７２２５８のＭＡＣ機能とトランスポートチャネル機能の関連箇所によれば、従来のネットワークはＢＣＣＨからのＭＡＣ−ｅｈｓ  ＳＤＵをセグメント化しない。そのため、ヘッダにはＳＩフィールドが不要である。以上のように、ＬＣＨ−ＩＤ、長さ、ＴＳＮ、ＳＩフィールドがいずれも不要であれば、フラグフィールドも不要である。
【００１１】
簡単にいえば、ＢＣＣＨをＨＳ−ＤＳＣＨにマッピングするとき、従来のＭＡＣ−ｅｈｓ  ＰＤＵのヘッダは無用で、不必要なシグナリング送信とシステム資源の浪費を引き起こしかねない。
【発明の開示】
【発明が解決しようとする課題】
【００１２】
本発明は、無用なシグナリング伝送を回避し、システム効率を向上させるために、無線通信システムにおいてダウンリンク共用チャネルの伝送を改善する方法及び装置を提供することを課題とする。
【課題を解決するための手段】
【００１３】
本発明では、無線通信システムにおいてダウンリンク共用チャネルの伝送を改善する方法を開示する。当該方法は、ＭＡＣ（媒体アクセス制御）プロトコルエンティティーを通してＢＣＣＨ（ブロードキャスト制御チャネル）をダウンリンク共用チャネルにマッピングし、ダウンリンク共用チャネルを通してシステム情報ブロードキャストメッセージを送信する段階と、前記システム情報ブロードキャストメッセージに基づいてＭＡＣ  ＰＤＵ（プロトコルデータユニット）を形成する段階を含む。前記ＭＡＣ  ＰＤＵは何のヘッダフィールドも含まない。
【００１４】
本発明では更に、無線通信システムにおいてダウンリンク共用チャネルの伝送を改善するための通信装置を開示する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、ＭＡＣプロトコルエンティティーを通してＢＣＣＨをダウンリンク共用チャネルにマッピングし、ダウンリンク共用チャネルを通してシステム情報ブロードキャストメッセージを送信するコードと、前記システム情報ブロードキャストメッセージに基づいてＭＡＣ  ＰＤＵを形成するコードを含む。前記ＭＡＣ  ＰＤＵは何のヘッダフィールドも含まない。
【発明を実施するための最良の形態】
【００１５】
かかる方法及び装置の特徴を詳述するために、具体的な実施例を挙げ、図を参照にして以下に説明する。
【００１６】
図２を参照する。図２は無線通信システム４００を表す説明図である。無線通信システム４００は望ましくは第三世代移動通信システムまたはＬＴＥ（Ｌｏｎｇ  Ｔｅｒｍ  Ｅｖｏｌｕｔｉｏｎ）システムであり、概してネットワークと複数のＵＥを含む。図２では、ネットワークとＵＥは無線通信システム４００の構造を説明するために用いられ、実際、ネットワークは要求に応じて複数の基地局、ＲＮＣ（無線ネットワークコントローラー）を含みうる。ＵＥは携帯電話またはコンピュータシステムなどの装置である。
【００１７】
図３を参照する。図３は無線通信装置１００のブロック図である。無線通信装置１００は図２に示すネットワークを実施するものである。説明を簡潔にするために、図３では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。望ましくは、無線通信装置１００はＣＥＬＬ＿ＦＡＣＨ、ＣＥＬＬ＿ＰＣＨ、ＵＲＡ＿ＰＣＨ状態での高速ダウンリンク受信機能をサポートする。
【００１８】
図４を参照する。図４は図３に示すプログラムコード１１２を表す説明図である。プログラムコード１１２はアプリケーション層２００と、第三層２０２と、第一層２１８に接続される第二層２０６を備える。第三層２０２に設けられるＲＲＣ（無線資源制御）エンティティー２２２は、ＲＲＣメッセージと情報要素（ＩＥ）に基づいて第一層２１８と第二層２０６を制御する。ＲＲＣエンティティー２２２は無線通信装置１００をアイドリング、ＣＥＬＬ＿ＰＣＨ、ＵＲＡ＿ＰＣＨ、ＣＥＬＬ＿ＦＡＣＨ、またはＣＥＬＬ＿ＤＣＨ（セル専用チャネル）状態に切り替える。第二層２０６はＲＬＣ（無線リンク制御）層とＭＡＣ層を含み、両者は論理チャネルで接続してパケットを交換する。ＭＡＣ層はトランスポートチャネルを通して第一層２１８とパケットを交換する。高速ダウンリンク受信機能のもとで、ＭＡＣ層はＭＡＣ−ｅｈｓ（エンハンスド高速ＭＡＣ）エンティティーで種類の異なる論理チャネルをダウンリンク共用チャネルに多重化する。対応する論理チャネルとしては、専用型の専用型のＤＣＣＨとＤＴＣＨ、及び共用型のＰＣＣＨとＢＣＣＨがある。
【００１９】
高速ダウンリンク受信機能の実行時、ＢＣＣＨのダウンリンク共用チャネルへのマッピングは、システム情報変更指示メッセージをＣＥＬＬ＿ＦＡＣＨ状態またはＣＥＬＬ＿ＰＣＨ状態で動作するＵＥに送信するために行われる。それに鑑みて、本発明の実施例では前記プログラムコード１１２にダウンリンク共用チャネル伝送改善プログラムコード２２０を設け、ＢＣＣＨをダウンリンク共用チャネルにマッピングするときに生成する送信パケットのヘッダを改善する。図５を参照する。図５は本発明の実施例による方法３０を表す説明図である。下記方法３０は無線通信システムにおいてダウンリンク共用チャネルの伝送を改善するために用いられ、ダウンリンク共用チャネル伝送改善プログラムコード２２０としてコンパイルすることができる。
【００２０】
ステップ３００：開始。
ステップ３０２：ＭＡＣプロトコルエンティティーを通してＢＣＣＨをダウンリンク共用チャネルにマッピングし、ダウンリンク共用チャネルを通してシステム情報ブロードキャストメッセージを送信する。
ステップ３０４：前記システム情報ブロードキャストメッセージに基づいてＭＡＣ  ＰＤＵを形成する。このＭＡＣ  ＰＤＵは何のヘッダフィールドも含まない。
ステップ３０６：終了。
【００２１】
以上のように、本発明の実施例ではまず、ＭＡＣプロトコルエンティティーを通してＢＣＣＨをダウンリンク共用チャネルにマッピングし、ダウンリンク共用チャネルを通してシステム情報ブロードキャストメッセージを送信する。その後、本発明の実施例では前記システム情報ブロードキャストメッセージに基づいてＭＡＣ  ＰＤＵを形成する。このＭＡＣ  ＰＤＵは何のヘッダフィールドも含まない。望ましくは、システム情報ブロードキャストメッセージは特定のＨ−ＲＮＴＩを利用し、ダウンリンク共用チャネルを通して伝送を行う。なお、前記システム情報ブロードキャストメッセージはＴＭモードで送信され、送信予定のシステム情報ブロードキャストメッセージがトランスポートブロックサイズに合致しないとき、ＲＲＣ層はこのシステム情報ブロードキャストメッセージをパディングしなければならない。この場合、ＭＡＣ  ＰＤＵはシステム情報ブロードキャストメッセージに対応するＳＤＵのみ含み、ＭＡＣ層により添付されたパディングビットを含まない。
【００２２】
したがって、ＢＣＣＨをダウンリンク共用チャネルにマッピングするとき、本発明の実施例で生成したＭＡＣ  ＰＤＵは何のヘッダフィールドも含まない。それにもかかわらず、ＢＣＣＨのパケットデータはダウンリンク共用チャネルを通して正確に送信される。したがって、本発明の実施例は無用なシグナリング送信を回避し、パケットヘッダの処理に費やすシステム資源と電力を節減することができる。
【００２３】
注意すべきは、本発明の実施例に述べるダウンリンク共用チャネルは高速パケットアクセスシステムのＨＳ−ＤＳＣＨまたはＬＴＥシステムのＤＬ−ＳＣＨ（ダウンリンク共用チャネル）である。もっとも本発明はそれに限らない。
【００２４】
まとめていえば、ＢＣＣＨをＨＳ−ＤＳＣＨにマッピングするとき、本発明の実施例によるＭＡＣ  ＰＤＵは何のヘッダフィールドも含まないので、無用なシグナリング伝送を回避し、ヘッダ処理に費やすシステム資源と電力を節減することができる。
【００２５】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２６】
【図１】従来のＭＡＣ−ｅｈｓ  ＰＤＵを表す説明図である。
【図２】無線通信システムを表す説明図である。
【図３】無線通信装置のブロック図である。
【図４】図３に示すプログラムコードを表す説明図である。
【図５】本発明の実施例による方法のフローチャートである。
【符号の説明】
【００２７】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  ダウンリンク共用チャネル伝送改善プログラムコード
２２２  ＲＲＣエンティティー
４００  無線通信システム
【図１】
2008301493.tif 000003
【図２】
2008301493.tif 000004
【図３】
2008301493.tif 000005
【図４】
2008301493.tif 000006
【図５】
2008301493.tif 000007